【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
画像データを送信する画像データ送信手段を備えた情報処理装置と、この情報処理装置に設けられた画像出力端子に接続され、前記画像データを伝送する画像データ伝送手段と、この画像データ伝送手段に接続される外部装置とを備えたデータ伝送システム上で実行されるデータ伝送方法であって、
前記情報処理装置の画像出力端子及び前記外部装置が前記画像データ伝送手段を介して接続されると、前記外部装置から自己がディスプレイである旨の仮想ディスプレイ情報を送信する手順と、
送信された仮想ディスプレイ情報を前記情報処理装置が取得し、前記外部装置をディスプレイとして認識する手順と、
前記情報処理装置が前記外部装置に対して送るべきデータを、前記画像データ送信手段に画像データとして認識させる仮想画像データに変換する手順と、
前記画像データ送信手段により前記外部装置に対して前記仮想画像データを送信する手順と、
送信された前記仮想画像データを、前記外部装置が受信する手順と、
前記外部装置が受信した仮想画像データを、本来のデータに再構成する手順とが実行されることを特徴とするデータ伝送方法。
【請求項２】
請求項１に記載のデータ伝送方法において、
前記画像データ伝送手段による画像データの伝送はアナログ信号により行われ、
前記外部装置に対して送るべきデータを仮想画像データに変換する手順の後、仮想画像データを送信する手順の前に、前記仮想画像データに対してエラー訂正符号を付して符号化する手順が実行され、
前記外部装置が前記仮想画像データを受信した後、本来のデータに再構成する前に、符号化された前記仮想画像データを復号化する手順が実行されることを特徴とするデータ伝送方法。
【請求項３】
画像データを送信する画像データ送信手段を備えた情報処理装置と、この情報処理装置に設けられた画像出力端子に接続され、前記画像データを伝送する画像データ伝送手段と、この画像データ伝送手段に接続される外部装置とを備えたデータ伝送システムであって、
前記情報処理装置は、
前記画像出力端子に前記画像データ伝送手段を介して接続された外部装置の機能情報を取得する機能情報取得手段と、
前記外部装置に対して送るべきデータを前記画像データ送信手段に画像データとして認識させるために、該データを仮想画像データに変換する仮想画像データ変換手段とを備え、
前記外部装置は、
前記情報処理装置から送信された画像データを受信する画像データ受信手段と、
前記機能情報取得手段に対して、自己がディスプレイである旨の仮想ディスプレイ情報を送信する仮想ディスプレイ情報送信手段と、
前記画像データ送信手段から送信された仮想画像データを受信し、本来のデータに再構成するデータ再構成手段とを備えていることを特徴とするデータ伝送システム。
【請求項４】
請求項３に記載のデータ伝送システムにおいて、
前記画像データ伝送手段による画像データの伝送はアナログ信号により行われ、
前記情報処理装置は、送信する画像データにエラー訂正用の符号を付するデータ符号化手段を備え、
前記外部装置は、符号化された画像データを復号化するデータ復号化手段を備えていることを特徴とするデータ伝送システム。
【請求項５】
画像データを送信する画像データ送信手段を備え、前記画像データを伝送する画像データ伝送手段を介して画像出力端子に外部装置が接続される情報処理装置であって、
前記画像出力端子に前記画像データ伝送手段を介して接続された外部装置の機能情報を取得する機能情報取得手段と、
前記外部装置に対して送るべきデータを前記画像データ送信手段に画像データとして認識させるために、該データを、仮想画像データに変換する仮想画像データ変換手段とを備えていることを特徴とする情報処理装置。
【請求項６】
画像データを送信する画像データ送信手段を備え、前記画像データを伝送する画像データ伝送手段を介して画像出力端子に外部装置が接続される情報処理装置上で実行されるデータ伝送プログラムであって、
前記情報処理装置を、
前記画像出力端子に前記画像データ伝送手段を介して接続された外部装置の機能情報を取得する機能情報取得手段と、
前記外部装置に対して送るべきデータを前記画像データ送信手段に画像データとして認識させるために、該データを、仮想画像データに変換する仮想画像データ変換手段として機能させることを特徴とするデータ伝送プログラム。
【請求項７】
請求項６に記載のデータ伝送プログラムを記録したことを特徴とするコンピュータ読み取り可能な記録媒体。
【請求項８】
画像データを送信する画像データ送信手段を備えた情報処理装置に、前記画像データを伝送する画像データ伝送手段を介して接続される外部装置であって、
前記情報処理装置から送信された画像データを受信する画像データ受信手段と、
前記情報処理装置が具備する機能情報取得手段に対して、自己がディスプレイである旨の仮想ディスプレイ情報を送信する仮想ディスプレイ情報送信手段と、
前記情報処理装置が当該外部装置に対して送るべきデータを、画像データとして認識させるために、該データを変換して送信した仮想画像データを受信し、本来のデータに再構成するデータ再構成手段とを備えていることを特徴とする外部装置。
【手続補正２】
【補正対象書類名】明細書
【補正対象項目名】００１０
【補正方法】変更
【補正の内容】
【００１０】
本発明に係るデータ伝送方法は、
画像データを送信する画像データ送信手段を備えた情報処理装置と、この情報処理装置に設けられた画像出力端子に接続され、前記画像データを伝送する画像データ伝送手段と、この画像データ伝送手段に接続される外部装置とを備えたデータ伝送システム上で実行されるデータ伝送方法であって、
前記情報処理装置の画像出力端子及び前記外部装置が前記画像データ伝送手段を介して接続されると、前記外部装置から自己がディスプレイである旨の仮想ディスプレイ情報を送信する手順と、
送信された仮想ディスプレイ情報を前記情報処理装置が取得し、前記外部装置をディスプレイとして認識する手順と、
前記画像出力端子から前記外部装置に対して送るべきデータを、前記画像データ送信手段に画像データとして認識させる仮想画像データに変換する手順と、
前記画像データ送信手段により前記外部装置に対して前記仮想画像データを送信する手順と、
送信された前記仮想画像データを、前記外部装置が受信する手順と、
前記外部装置が受信した仮想画像データを、本来のデータに再構成する手順とが実行されることを特徴とする。
【手続補正３】
【補正対象書類名】明細書
【補正対象項目名】００１５
【補正方法】変更
【補正の内容】
【００１５】
また、本発明は、前述のデータ伝送方法のみならず、データ伝送システムとしても構成することができ、具体的に本発明に係るデータ伝送システムは、
画像データを送信する画像データ送信手段を備えた情報処理装置と、この情報処理装置に設けられた画像出力端子に接続され、前記画像データを伝送する画像データ伝送手段と、この画像データ伝送手段に接続される外部装置とを備えたデータ伝送システムであって、
前記情報処理装置は、
前記画像出力端子に前記画像データ伝送手段を介して接続された外部装置の機能情報を取得する機能情報取得手段と、
前記外部装置に対して送るべきデータを前記画像データ送信手段に画像データとして認識させるために、該データを仮想画像データに変換する仮想画像データ変換手段とを備え、
前記外部装置は、
前記情報処理装置から送信された画像データを受信する画像データ受信手段と、
前記機能情報取得手段に対して、自己がディスプレイである旨の仮想ディスプレイ情報を送信する仮想ディスプレイ情報送信手段と、
前記画像データ送信手段から送信された仮想画像データを受信し、本来のデータに再構成するデータ再構成手段とを備えていることを特徴とする。